(57)【要約】【課題】より多くの種類のコンテンツを対象として、ユーザの関心の高さを反映したコンテンツの各部分の優先度を取得する。【解決手段】情報処理装置は、ユーザによる視聴の状態に基づいて算出される第１のコンテンツの部分ごとの注目度の情報を含む注目度情報を外部装置から受信する通信部と、上記注目度情報を用いて、第２のコンテンツの部分ごとの視聴の優先度の情報を含む優先度情報を生成する優先度情報生成部と、を含み、上記通信部は、上記優先度情報を上記外部装置に送信する。【選択図】図３
2012186621.tif 000002
【特許請求の範囲】
【請求項１】
ユーザによる視聴の状態に基づいて算出される第１のコンテンツの部分ごとの注目度の情報を含む注目度情報を外部装置から受信する通信部と、
前記注目度情報を用いて、第２のコンテンツの部分ごとの視聴の優先度の情報を含む優先度情報を生成する優先度情報生成部と、
を備え、
前記通信部は、前記優先度情報を前記外部装置に送信する情報処理装置。
【請求項２】
前記通信部は、前記優先度情報の提供を要求するリクエスト情報を前記外部装置から受信し、
前記リクエスト情報は、対象ユーザの情報を含み、
前記優先度情報生成部は、前記リクエスト情報に応じて、前記対象ユーザの前記優先度の情報を含む前記優先度情報を生成する、請求項１に記載の情報処理装置。
【請求項３】
前記対象ユーザは、前記第１のコンテンツを視聴し前記第２のコンテンツを視聴していない前記ユーザである、請求項２に記載の情報処理装置。
【請求項４】
前記対象ユーザは、前記第２のコンテンツを視聴した前記ユーザである、請求項２に記載の情報処理装置。
【請求項５】
前記注目度は、前記第１のコンテンツを視聴している前記ユーザの画像から検出される前記ユーザの動作に基づいて算出される、請求項１に記載の情報処理装置。
【請求項６】
前記ユーザは、前記画像に含まれる顔によって識別される、請求項５に記載の情報処理装置。
【請求項７】
前記注目度は、前記ユーザによる前記第１のコンテンツの視聴のための装置の操作履歴に基づいて算出される、請求項１に記載の情報処理装置。
【請求項８】
前記ユーザは、前記装置の所有者情報によって識別される、請求項７に記載の情報処理装置。
【請求項９】
ユーザによる視聴の状態に基づいて算出される第１のコンテンツの部分ごとの注目度の情報を含む注目度情報を生成する注目度情報生成部と、
前記注目度情報を外部装置に送信し、前記注目度情報を用いて生成される第２のコンテンツの部分ごとの視聴の優先度の情報を含む優先度情報を前記外部装置から受信する通信部と、
を備える情報処理装置。
【請求項１０】
前記優先度情報の提供を要求するリクエスト情報を生成するリクエスト情報生成部をさらに備え、
前記リクエスト情報は、対象ユーザの情報を含み、
前記通信部は、前記リクエスト情報を前記外部装置に送信し、前記リクエスト情報に応じて生成された前記対象ユーザの前記優先度の情報を含む前記優先度情報を前記外部装置から受信する、請求項９に記載の情報処理装置。
【請求項１１】
前記優先度が所定の値以上である前記第２のコンテンツの部分を抽出することによってダイジェストコンテンツを生成するダイジェスト生成部と、
前記ダイジェストコンテンツを前記ユーザによる視聴のために出力する出力部と、
前記ダイジェストコンテンツを視聴する前記ユーザの画像を取得する画像取得部と、
をさらに備え、
前記リクエスト情報生成部は、前記画像に含まれる顔によって識別されたユーザを対象ユーザとして前記リクエスト情報を生成する、請求項１０に記載の情報処理装置。
【請求項１２】
前記第１のコンテンツを前記ユーザによる視聴のために出力する出力部と、
前記第１のコンテンツを視聴している前記ユーザの画像を取得する画像取得部と、
をさらに備え、
前記注目度は、前記画像から検出される前記ユーザの動作に基づいて算出される、請求項９に記載の情報処理装置。
【請求項１３】
前記ユーザは、前記画像に含まれる顔によって識別される、請求項１２に記載の情報処理装置。
【請求項１４】
前記第１のコンテンツを前記ユーザによる視聴のために出力する出力部と、
前記ユーザによる前記第１のコンテンツの視聴のための操作履歴を取得する操作履歴取得部と、
をさらに備え、
前記注目度は、前記操作履歴に基づいて算出される、請求項９に記載の情報処理装置。
【請求項１５】
前記ユーザは、前記情報処理装置の所有者情報によって識別される、請求項１４に記載の情報処理装置。
【請求項１６】
ユーザによる視聴の状態に基づいて算出される第１のコンテンツの部分ごとの注目度の情報を含む注目度情報を外部装置から受信することと、
前記注目度情報を用いて、第２のコンテンツの部分ごとの視聴の優先度の情報を含む優先度情報を生成することと、
前記優先度情報を前記外部装置に送信することと、
を含む情報処理方法。
【請求項１７】
ユーザによる視聴の状態に基づいて算出される第１のコンテンツの部分ごとの注目度の情報を含む注目度情報を生成することと、
前記注目度情報を外部装置に送信することと、
前記注目度情報を用いて生成される第２のコンテンツの部分ごとの視聴の優先度の情報を含む優先度情報を前記外部装置から受信することと、
を含む情報処理方法。
【請求項１８】
ユーザによる視聴の状態に基づいて算出される第１のコンテンツの部分ごとの注目度の情報を含む注目度情報を外部装置から受信する通信部と、
前記注目度情報を用いて、第２のコンテンツの部分ごとの視聴の優先度の情報を含む優先度情報を生成する優先度情報生成部と、
としてコンピュータを機能させ、
前記通信部は、前記優先度情報を前記外部装置に送信するプログラム。
【請求項１９】
ユーザによる視聴の状態に基づいて算出される第１のコンテンツの部分ごとの注目度の情報を含む注目度情報を生成する注目度情報生成部と、
前記注目度情報を外部装置に送信し、前記注目度情報を用いて生成される第２のコンテンツの部分ごとの視聴の優先度の情報を含む優先度情報を前記外部装置から受信する通信部と、
としてコンピュータを機能させるプログラム。
【発明の詳細な説明】
【技術分野】
【０００１】
本開示は、情報処理装置、情報処理方法およびプログラムに関する。
【背景技術】
【０００２】
ＴＶ放送やインターネットを利用したストリーミング放送などによって提供されるコンテンツを視聴するユーザは、多くの場合、限られた時間でコンテンツを視聴する。従って、必ずしもコンテンツの全体を視聴する時間があるとは限らない。一方、コンテンツの各部分は、必ずしもユーザの関心の高い順番には配列されていない。それゆえ、多くのユーザにとって、コンテンツを最初から順に視聴することは、関心の高い部分を見損ねる可能性が多分にあり、合理的ではない。
【０００３】
そこで、ユーザの関心の高さを反映したコンテンツの各部分の優先度を設定し、優先度の高い部分を自動的に抽出してユーザに提供する技術が開発されている。例えば、特許文献１には、スポーツ中継などのコンテンツにおいて、音声情報によって歓声が大きいことが示される部分を盛り上がり部分とし、この盛り上がり部分を自動的に抽出することでダイジェストを作成し、ユーザに提供する技術が記載されている。これによって、ユーザは、限られた視聴時間の中で、コンテンツの盛り上がり部分を選択的に視聴し、時間を有効に用いることができる。
【先行技術文献】
【特許文献】
【０００４】
【特許文献１】特開２０１０−２６６８８０号公報
【発明の概要】
【発明が解決しようとする課題】
【０００５】
しかし、コンテンツの各部分に対するユーザの関心の高さは、必ずしも歓声によって推定されうるとは限らない。例えば、スポーツ中継以外の、ニュースなどのコンテンツでは、音声情報に歓声が入ることは少ない。そのため、このようなコンテンツについて、特許文献１に記載の技術によって各部分の優先度を設定することは難しい。
【０００６】
そこで、より多くの種類のコンテンツを対象として、ユーザの関心の高さを反映したコンテンツの各部分の優先度を取得する技術が求められている。
【課題を解決するための手段】
【０００７】
本開示によれば、ユーザによる視聴の状態に基づいて算出される第１のコンテンツの部分ごとの注目度の情報を含む注目度情報を外部装置から受信する通信部と、上記注目度情報を用いて、第２のコンテンツの部分ごとの視聴の優先度の情報を含む優先度情報を生成する優先度情報生成部と、を備え、上記通信部は、上記優先度情報を上記外部装置に送信する情報処理装置が提供される。
【０００８】
また、本開示によれば、ユーザによる視聴の状態に基づいて算出される第１のコンテンツの部分ごとの注目度の情報を含む注目度情報を生成する注目度情報生成部と、上記注目度情報を外部装置に送信し、上記注目度情報を用いて生成される第２のコンテンツの部分ごとの視聴の優先度の情報を含む優先度情報を上記外部装置から受信する通信部と、を備える情報処理装置が提供される。
【０００９】
また、本開示によれば、ユーザによる視聴の状態に基づいて算出される第１のコンテンツの部分ごとの注目度の情報を含む注目度情報を外部装置から受信することと、上記注目度情報を用いて、第２のコンテンツの部分ごとの視聴の優先度の情報を含む優先度情報を生成することと、上記優先度情報を上記外部装置に送信することと、を含む情報処理方法が提供される。
【００１０】
また、本開示によれば、ユーザによる視聴の状態に基づいて算出される第１のコンテンツの部分ごとの注目度の情報を含む注目度情報を生成することと、上記注目度情報を外部装置に送信することと、上記注目度情報を用いて生成される第２のコンテンツの部分ごとの視聴の優先度の情報を含む優先度情報を上記外部装置から受信することと、を含む情報処理方法が提供される。
【００１１】
また、本開示によれば、ユーザによる視聴の状態に基づいて算出される第１のコンテンツの部分ごとの注目度の情報を含む注目度情報を外部装置から受信する通信部と、上記注目度情報を用いて、第２のコンテンツの部分ごとの視聴の優先度の情報を含む優先度情報を生成する優先度情報生成部と、としてコンピュータを機能させ、上記通信部は、上記優先度情報を上記外部装置に送信するプログラムが提供される。
【００１２】
また、本開示によれば、ユーザによる視聴の状態に基づいて算出される第１のコンテンツの部分ごとの注目度の情報を含む注目度情報を生成する注目度情報生成部と、上記注目度情報を外部装置に送信し、上記注目度情報を用いて生成される第２のコンテンツの部分ごとの視聴の優先度の情報を含む優先度情報を上記外部装置から受信する通信部と、としてコンピュータを機能させるプログラムが提供される。
【００１３】
本開示によれば、例えば、コンテンツの部分ごとの視聴の優先度が、他のコンテンツの部分ごとの注目度情報を用いて算出されうる。
【発明の効果】
【００１４】
以上説明したように本開示によれば、より多くの種類のコンテンツを対象として、コンテンツの各部分のユーザの関心の高さを反映した優先度を取得することができる。
【図面の簡単な説明】
【００１５】
【図１】本開示の第１の実施形態に係るクライアント装置の機能構成を示すブロック図である。
【図２】本開示の第１の実施形態に係るクライアント装置の画像処理部の機能構成を示すブロック図である。
【図３】本開示の第１の実施形態に係るサーバ装置の機能構成を示すブロック図である。
【図４】本開示の第１の実施形態においてコンテンツを通常視聴する場合の処理の例を示すフローチャートである。
【図５】本開示の第１の実施形態においてコンテンツをダイジェスト視聴する場合の処理の例を示すフローチャートである。
【図６】本開示の第１の実施形態における注目度の算出の例を示す図である。
【図７】図６の例において算出された注目度を示す図である。
【図８】本開示の第１の実施形態におけるダイジェストコンテンツの生成について概念的に説明するための図である。
【図９】本開示の第１の実施形態においてダイジェストコンテンツを生成するために表示される操作画面の例を示す図である。
【図１０】本開示の第１の実施形態においてダイジェストコンテンツを生成するために表示される操作画面の別の例を示す図である。
【図１１】本開示の第１の実施形態の変形例において表示される操作画面の例を示す図である。
【図１２】本開示の第１の実施形態の変形例において表示される操作画面の別の例を示す図である。
【図１３】本開示の第２の実施形態に係るモバイル装置の機能構成を示すブロック図である。
【図１４】本開示の第２の実施形態に係るクライアント装置の機能構成を示すブロック図である。
【図１５】本開示の第２の実施形態においてコンテンツを通常視聴する場合の処理の例を示すフローチャートである。
【図１６】本開示の第２の実施形態においてコンテンツをダイジェスト視聴する場合の処理の例を示すフローチャートである。
【図１７】本開示の各実施形態に係る情報処理装置のハードウェア構成を説明するためのブロック図である。
【発明を実施するための形態】
【００１６】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１７】
なお、説明は以下の順序で行うものとする。
１．第１の実施形態
１−１．機能構成
１−２．処理フロー
１−３．注目度算出処理
１−４．優先度算出処理
１−５．ダイジェスト生成処理
１−６．変形例
１−７．まとめ
２．第２の実施形態
２−１．機能構成
２−２．処理フロー
２−３．変形例
２−４．まとめ
３．ハードウェア構成
４．補足
【００１８】
（１．第１の実施形態）
本開示の第１の実施形態では、例えばＤＶＤ（Digital  Versatile  Disc）レコーダやＢｌｕ−Ｒａｙ（登録商標）レコーダであるクライアント装置１００を用いて、ユーザがコンテンツを視聴する。クライアント装置１００は、ユーザによる視聴の状態に基づいて、コンテンツの部分ごとの注目度の情報を含む注目度情報を生成し、サーバ装置２００に送信する。サーバ装置２００は、受信した注目度情報をデータベースに格納する。
【００１９】
さらに、クライアント装置１００は、コンテンツの部分ごとの視聴の優先度の情報を含む優先度情報の提供を要求するリクエスト情報を生成し、サーバ装置２００に送信する。サーバ装置２００は、受信したリクエスト情報に応じて、データベースに格納された注目度情報を用いて優先度情報を生成し、クライアント装置１００に送信する。クライアント装置１００は、受信した優先度情報を用いて、例えばコンテンツの優先度が高い部分を抽出したダイジェストコンテンツを生成し、ユーザに提供する。
【００２０】
（１−１．機能構成）
（クライアント装置）
まず、図１を参照して、本開示の第１の実施形態に係るクライアント装置１００の概略的な機能構成について説明する。図１は、クライアント装置１００の機能構成を示すブロック図である。
【００２１】
クライアント装置１００は、本開示に係る情報処理装置の一例であって、画像取得部１０１、画像処理部１０３、注目度情報生成部１０５、リクエスト情報生成部１０７、ダイジェスト生成部１０９、画像出力部１１１、コンテンツ記憶部１５１、および通信部１７１を含む。クライアント装置１００は、例えば、ＤＶＤレコーダやＢｌｕ−Ｒａｙ（登録商標）レコーダのようなコンテンツ記録再生装置として実現される。また、クライアント装置１００は、表示装置１０およびカメラ２０と一体になったＴＶ受像機、またはＰＣ（Personal  Computer）などとして実現されてもよい。
【００２２】
画像取得部１０１は、例えば、ＣＰＵ（Central  Processing  Unit）、ＲＯＭ（Read  Only  Memory）、ＲＡＭ（Random  Access  Memory）、および通信装置などによって実現される。画像取得部１０１は、クライアント装置１００に接続されたカメラ２０から、表示装置１０を用いてコンテンツを視聴しているユーザＵ１，Ｕ２の画像を取得する。なお、ユーザは、図示されているように複数であってもよく、また単一であってもよい。画像取得部１０１が取得する画像には、例えば、ユーザＵ１，Ｕ２の顔の画像が含まれる。画像取得部１０１は、取得した画像の情報を画像処理部１０３に提供する。
【００２３】
画像処理部１０３は、例えば、ＣＰＵ、ＧＰＵ（Graphics  Processing  Unit）、ＲＯＭ、およびＲＡＭなどによって実現される。画像処理部１０３は、画像取得部１０１から取得した画像の情報をフィルタリングなどによって処理し、ユーザＵ１，Ｕ２に関する情報を取得する。例えば、画像処理部１０３は、画像に含まれる顔の画像に基づいてユーザＵ１，Ｕ２を識別し、ユーザＩＤを取得する。また、画像処理部１０３は、顔角度、目瞑り、視線方向など、ユーザＵ１，Ｕ２の動作に関する情報を取得してもよい。画像処理部１０３は、取得した情報を注目度情報生成部１０５およびリクエスト情報生成部１０７に提供する。なお、画像処理部１０３の詳細な機能構成については後述する。
【００２４】
注目度情報生成部１０５は、例えば、ＣＰＵ、ＲＯＭ、およびＲＡＭなどによって実現される。注目度情報生成部１０５は、画像処理部１０３から取得したユーザの動作に関する情報に基づいて、コンテンツの部分ごとの注目度を算出し、算出された注目度の情報を含む注目度情報を生成する。ここで、ユーザの動作は、ユーザによる視聴の状態の一例である。注目度情報には、ユーザとコンテンツとを特定する情報が含まれる。ユーザを特定する情報は、画像処理部１０３が取得したユーザＩＤであってもよい。生成された注目度情報は、通信部１７１に提供され、通信部１７１からサーバ装置２００に送信される。なお、注目度の算出の具体的な例については後述する。
【００２５】
リクエスト情報生成部１０７は、例えば、ＣＰＵ、ＲＯＭ、およびＲＡＭなどによって実現される。リクエスト情報生成部１０７は、画像処理部１０３から提供される情報を用いて、優先度情報の提供を要求するリクエスト情報を生成する。リクエスト情報は、対象ユーザの情報を含む。対象ユーザの情報は、例えば、画像処理部１０３が取得したユーザＩＤでありうる。また、リクエスト情報生成部１０７は、クライアント装置１００の入力装置を介して取得されるユーザの操作によって特定される任意のユーザを対象ユーザとしてリクエスト情報を生成してもよい。リクエスト情報は、さらに、優先度情報の対象コンテンツを特定する情報を含む。対象コンテンツは、例えば、クライアント装置１００の入力装置を介して取得されるユーザの操作によって特定されうる。生成されたリクエスト情報は、通信部１７１に提供され、通信部１７１からサーバ装置２００に送信される。
【００２６】
通信部１７１は、例えば、接続ポート、および通信装置などによって実現される。通信部１７１は、サーバ装置２００と通信し、注目度情報生成部１０５によって生成された注目度情報、およびリクエスト情報生成部１０７によって生成されたリクエスト情報を送信する。また、通信部１７１は、サーバ装置２００から優先度情報を受信する。優先度情報は、コンテンツの部分ごとの、リクエスト情報によって特定される対象ユーザの視聴の優先度の情報を含む情報である。通信部１７１は、受信した優先度情報をダイジェスト生成部１０９に提供する。
【００２７】
コンテンツ記憶部１５１は、例えば、ＲＯＭ、ＲＡＭ、およびストレージ装置などによって実現される。コンテンツ記憶部１５１には、クライアント装置１００がユーザに提供するコンテンツのデータが格納される。コンテンツのデータは、図示しないチューナを用いて放送波から取得されてもよいし、また通信装置を介して通信ネットワークからダウンロードされてもよい。コンテンツ記憶部１５１は、ダイジェスト生成部１０９、および画像出力部１１１にコンテンツのデータを提供する。
【００２８】
ダイジェスト生成部１０９は、例えば、ＣＰＵ、ＲＯＭ、およびＲＡＭなどによって実現される。ダイジェスト生成部１０９は、通信部１７１がサーバ装置２００から受信した優先度情報を取得し、取得した優先度情報を用いて優先度が所定の値以上であるコンテンツの部分を抽出することによってダイジェストコンテンツを生成する。ダイジェスト生成部１０９は、優先度情報の対象コンテンツのコンテンツデータをコンテンツ記憶部１５１から取得する。また、ダイジェスト生成部１０９は、生成したダイジェストコンテンツのデータを画像出力部１１１に提供する。
【００２９】
ここで、例えば、ダイジェスト生成部１０９は、通信部１７１から優先度情報が提供された場合に自動的にダイジェストコンテンツを生成してもよい。また、ダイジェスト生成部１０９は、クライアント装置１００の入力装置を介して取得されるユーザの操作に従ってダイジェストコンテンツを生成してもよい。この場合、ダイジェスト生成部１０９は、例えば指定されたダイジェストコンテンツの長さに応じて、複数の種類のダイジェストコンテンツを生成することが可能であってもよい。
【００３０】
画像出力部１１１は、例えば、ＣＰＵ、ＧＰＵ、ＲＯＭ、およびＲＡＭなどによって実現される。画像出力部１１１は、クライアント装置１００に接続された表示装置１０に、ダイジェスト生成部１０９から提供されたダイジェストコンテンツのデータを出力する。また、画像出力部１１１は、ダイジェストコンテンツではない通常のコンテンツのデータをコンテンツ記憶部１５１から取得して、表示装置１０に出力してもよい。さらに、画像出力部１１１は、ユーザによるクライアント装置１００の操作のための操作画面の画像を表示装置１０に出力してもよい。操作画面は、例えば、通信部１７１が取得した優先度情報をユーザに提示するものであってもよい。
【００３１】
（画像処理部の詳細）
続いて、図２を参照して、クライアント装置１００の画像処理部１０３の機能構成についてさらに説明する。図２は、画像処理部１０３の機能構成を示すブロック図である。
【００３２】
画像処理部１０３は、顔検出部１０３１、顔追跡部１０３３、および顔識別部１０３５を含む。顔識別部１０３５は、顔識別用ＤＢ１５３を参照する。画像処理部１０３は、画像取得部１０１から画像データを取得する。また、画像処理部１０３は、ユーザを識別するユーザＩＤ、顔角度、目瞑り、視線方向などのユーザに関するを注目度情報生成部１０５またはリクエスト情報生成部１０７に提供する。
【００３３】
顔検出部１０３１は、例えば、ＣＰＵ、ＧＰＵ、ＲＯＭ、およびＲＡＭなどによって実現される。顔検出部１０３１は、画像取得部１０１から取得した画像データを参照して、画像に含まれる人間の顔を検出する。画像の中に顔が含まれている場合、顔検出部１０３１は、当該顔の位置や大きさなどを検出する。さらに、顔検出部１０３１は、画像によって示される顔の状態を検出する。例えば、顔検出部１０３１は、顔の角度、目を瞑っているか否か、視線の方向といったような状態を検出する。なお、顔検出部１０３１の処理には、例えば、特開２００７−６５７６６号公報や、特開２００５−４４３３０号公報に掲載されている技術など、公知のあらゆる技術を適用することが可能である。
【００３４】
顔追跡部１０３３は、例えば、ＣＰＵ、ＧＰＵ、ＲＯＭ、およびＲＡＭなどによって実現される。顔追跡部１０３３は、画像取得部１０１から取得した異なるフレームの画像データについて、顔検出部１０３１によって検出された顔を追跡する。顔追跡部１０３３は、顔検出部１０３１によって検出された顔の画像データのパターンの類似性などを利用して、後続のフレームで当該顔に対応する部分を探索する。顔追跡部１０３３のこのような処理によって、複数のフレームの画像に含まれる顔が、同一のユーザの顔の時系列変化として認識されうる。
【００３５】
顔識別部１０３５は、例えば、ＣＰＵ、ＧＰＵ、ＲＯＭ、およびＲＡＭなどによって実現される。顔識別部１０３５は、顔検出部１０３１によって検出された顔について、どのユーザの顔であるかの識別を行う処理部である。顔識別部１０３５は、顔検出部１０３１によって検出された顔の特徴的な部分などに着目して局所特徴量を算出し、算出した局所特徴量と、顔識別用ＤＢ１５３に予め格納されたユーザの顔画像の局所特徴量とを比較することによって、顔検出部１０３１により検出された顔を識別し、顔に対応するユーザのユーザＩＤを特定する。なお、顔識別部１０３５の処理には、例えば、特開２００７−６５７６６号公報や、特開２００５−４４３３０号公報に掲載されている技術など、公知のあらゆる技術を適用することが可能である。
【００３６】
顔識別用ＤＢ１５３は、例えば、ＲＯＭ、ＲＡＭ、およびストレージ装置などによって実現される。顔識別用ＤＢ１５３には、例えば、ユーザの顔画像の局所特徴量が、ユーザＩＤと関連付けて予め格納される。顔識別用ＤＢ１５３に格納されたユーザの顔画像の局所特徴量は、顔識別部１０３５によって参照される。
【００３７】
（サーバ装置）
次に、図３を参照して、本開示の第１の実施形態に係るサーバ装置２００の概略的な機能構成について説明する。図３は、サーバ装置２００の機能構成を示すブロック図である。
【００３８】
サーバ装置２００は、本開示に係る情報処理装置の一例であって、注目度情報取得部２０１、優先度情報生成部２０３、注目度ＤＢ２５１、および通信部２７１を含む。サーバ装置２００は、例えば、通信ネットワーク上に設置されたコンテンツ情報提供サーバとして実現される。なお、サーバ装置２００は、単一の装置として実現されてもよく、またネットワーク上に分散したリソースによって提供される機能の集合体として実現されてもよい。
【００３９】
通信部２７１は、例えば、接続ポート、および通信装置などによって実現される。通信部１７１は、クライアント装置１００と通信し、クライアント装置１００によって生成された注目度情報およびリクエスト情報を受信する。注目度情報は注目度情報取得部２０１に提供され、リクエスト情報は優先度情報生成部２０３に提供される。また、通信部１７１は、優先度情報生成部２０３によって生成された優先度情報をクライアント装置１００に送信する。なお、通信部１７１が通信するクライアント装置１００は、図示されているクライアント装置１００ａ，１００ｂのように複数であってもよく、また単一であってもよい。
【００４０】
注目度情報取得部２０１は、例えば、ＣＰＵ、ＲＯＭ、およびＲＡＭなどによって実現される。注目度情報取得部２０１は、通信部１７１から注目度情報を取得し、取得した注目度情報を注目度ＤＢ２５１に格納する。注目度情報取得部２０１は、取得した注目度を、ユーザとコンテンツとに関連付けて、注目度ＤＢ２５１に格納する。ここで、通信部２７１は、複数のクライアント装置１００ａ，１００ｂから注目度情報を受信し、また、各クライアント装置１００は、複数のユーザＵ１，Ｕ２についての注目度情報を生成しうる。それゆえ、注目度情報取得部２０１は、１つのコンテンツについて、複数のユーザの注目度情報を取得し、注目度ＤＢ２５１に格納しうる。
【００４１】
優先度情報生成部２０３は、ＣＰＵ、ＲＯＭ、およびＲＡＭなどによって実現される。優先度情報生成部２０３は、注目度ＤＢ２５１に格納された注目度を用いて、コンテンツの部分ごとの視聴の優先度の情報を含む優先度情報を生成する。優先度情報生成部２０３は、通信部２７１からリクエスト情報を取得し、取得されたリクエスト情報に応じて優先度情報を生成する。ここで、リクエスト情報は、優先度情報の対象ユーザの情報を含む。それゆえ、優先度情報生成部２０３は、コンテンツの部分ごとの対象ユーザの視聴の優先度の情報を含む優先度情報を生成する。生成された優先度情報は、通信部２７１に提供され、通信部２７１からクライアント装置１００に提供される。なお、優先度の算出の具体的な例については後述する。
【００４２】
注目度ＤＢ２５１は、例えば、ＲＯＭ、ＲＡＭ、およびストレージ装置などによって実現される。注目度ＤＢ２５１には、注目度情報取得部２０１によって取得された注目度情報が格納される。上述のように、注目度情報取得部２０１は、１つのコンテンツについて、複数のユーザの注目度情報を取得しうる。それゆえ、注目度ＤＢ２５１には、各コンテンツについて、それぞれ複数のユーザの注目度情報が格納されうる。
【００４３】
（１−２．処理フロー）
続いて、図４および図５を参照して、本開示の第１の実施形態における処理フローについて説明する。図４は、ユーザがクライアント装置１００を用いてコンテンツを通常視聴する場合の処理の例を示すフローチャートである。図５は、ユーザがクライアント装置１００を用いてコンテンツをダイジェスト視聴する場合の処理の例を示すフローチャートである。
【００４４】
（コンテンツ通常視聴時の処理）
図４を参照すると、まず、クライアント装置１００の画像取得部１０１が、コンテンツを視聴しているユーザの画像を取得する（ステップＳ１０１）。本実施形態において、画像取得部１０１は、カメラ２０からユーザの画像を取得する。ここで取得された画像に含まれるユーザは、複数であってもよい。
【００４５】
次に、クライアント装置１００の画像処理部１０３が、画像からユーザを識別し、ユーザの動作を検出する（ステップＳ１０３）。ここで、画像処理部１０３は、取得された画像に含まれる顔の画像を検出することによってユーザを識別する。また、画像処理部１０３は、取得された画像から、例えばユーザの顔角度、目瞑り、視線方向などの動作に関する情報を取得する。
【００４６】
次に、クライアント装置１００の注目度情報生成部１０５が、ユーザの動作に基づいてコンテンツの部分ごとの注目度を算出し、注目度情報を生成する（ステップＳ１０５）。ここで、注目度情報生成部１０５は、ユーザの動作に基づいて注目度を算出する。注目度情報は、ユーザが視聴したコンテンツの部分ごとに算出された注目度に加えて、ユーザが視聴したコンテンツを特定するコンテンツ情報、およびユーザを特定するユーザＩＤを含む。
【００４７】
次に、クライアント装置１００の通信部１７１が、生成された注目度情報をサーバ装置２００に送信する（ステップＳ１０７）。注目度情報は、例えば、ユーザがコンテンツを視聴し終えた後に一括してクライアント装置１００からサーバ装置２００に送信されてもよいし、コンテンツのセグメント単位で注目度が算出される度に随時送信されてもよい。
【００４８】
次に、サーバ装置２００の通信部２７１が、注目度情報をクライアント装置１００から受信し、注目度情報取得部２０１が、受信された注目度情報を取得して注目度ＤＢ２５１に格納する（ステップＳ１０９）。注目度情報は、複数のコンテンツで、複数のユーザについて取得されうる。
【００４９】
（ダイジェスト視聴時の処理）
図５を参照すると、まず、クライアント装置１００の画像取得部１０１が、ダイジェストコンテンツを視聴しようとするユーザの画像を取得する（ステップＳ２０１）。本実施形態において、画像取得部１０１は、カメラ２０からユーザの画像を取得する。ここで取得された画像に含まれるユーザは、複数であってもよい。ユーザが視聴しようとしているコンテンツは、例えばクライアント装置１００の入力装置を介して取得されるユーザの操作によって特定される。
【００５０】
次に、クライアント装置１００の画像処理部１０３が、画像からユーザを識別する（ステップＳ２０３）。本実施形態において、画像処理部１０３は、取得された画像に含まれる顔の画像を検出することによってユーザを識別する。
【００５１】
次に、クライアント装置１００のリクエスト情報生成部１０７が、リクエスト情報を生成する（ステップＳ２０５）。リクエスト情報には、画像から識別されたユーザのユーザＩＤが、対象ユーザのユーザＩＤとして含まれる。また、リクエスト情報には、ユーザが視聴しようとしているコンテンツを特定するコンテンツ情報も含まれる。
【００５２】
次に、クライアント装置１００の通信部１７１が、リクエスト情報をサーバ装置２００に送信する（ステップＳ２０７）。リクエスト情報は、例えば、クライアント装置１００の入力装置を介して取得されるユーザの別途の操作によってサーバ装置２００に送信されてもよく、またユーザのコンテンツ視聴のための操作によって自動的にサーバ装置２００に送信されてもよい。
【００５３】
次に、サーバ装置２００の優先度情報生成部２０３が、通信部２７１を介してクライアント装置１００からリクエスト情報を取得し、取得されたリクエスト情報に応じて優先度情報を生成する（ステップＳ２０９）。優先度情報生成部２０３は、優先度情報の生成に注目度ＤＢ２５１に格納された注目度情報を用いる。ここで、生成される優先度情報に含まれる優先度は、リクエスト情報に含まれる対象ユーザのユーザＩＤによって特定されるユーザである。また、優先度情報の対象になるコンテンツは、リクエスト情報に含まれるコンテンツ情報によって特定されるコンテンツである。
【００５４】
次に、サーバ装置２００の通信部２７１が、生成された優先度情報をクライアント装置１００に送信する（ステップＳ２１１）。本実施形態では、クライアント装置１００からのリクエスト情報に応じて優先度情報が生成されるため、生成された優先度情報は、自動的にクライアント装置１００に送信されうる。
【００５５】
次に、クライアント装置１００のダイジェスト生成部１０９が、通信部１７１を介してサーバ装置２００から優先度情報を取得し、取得された優先度情報に基づいてダイジェストコンテンツを生成する（ステップＳ２１３）。ここで、ダイジェストコンテンツは、優先度情報が取得された場合に自動的に生成されてもよい。また、ダイジェストコンテンツは、クライアント装置１００の入力装置を介して取得されるユーザの操作によって指定される長さなどの条件に応じて生成されてもよい。
【００５６】
次に、クライアント装置１００の画像出力部１１１は、ダイジェストコンテンツを表示装置１０に出力し、ユーザに提供する（ステップＳ２１５）。
【００５７】
（１−３．注目度算出処理）
続いて、図６および図７を参照して、本実施形態における注目度算出処理についてさらに説明する。図６は、コンテンツを視聴しているユーザＵ１〜Ｕ３の画像から検出されるユーザＵ１〜Ｕ３の動作に基づいて注目度を算出する例を示す図である。図７は、図６の例においてコンテンツの部分ごとに算出された注目度を示す図である。
【００５８】
図６には、カメラ２０の撮像範囲内にいるユーザＵ１〜Ｕ３が示されている。この場合、ユーザＵ１〜Ｕ３が、表示装置１０を用いてコンテンツを視聴しているユーザとして、注目度情報生成部１０５による注目度算出の対象になる。注目度情報生成部１０５は、画像処理部１０３から提供された情報を用いて、注目度を算出する。例えば、注目度情報生成部１０５は、ユーザが目を瞑っておらず、かつ表示装置１０の方向を向いている場合に、ユーザが表示装置１０に注目していると判定する。図示された例では、ユーザＵ１〜Ｕ３はいずれも目を瞑っていない。しかし、ユーザＵ１，Ｕ２の顔の向き（または視線の方向）が表示装置１０の方向と一致しているのに対して、ユーザＵ３の顔の向き（または視線の方向）は表示装置１０の方向と一致していない。従って、注目度情報生成部１０５は、ユーザＵ１，Ｕ２はコンテンツに注目しており、ユーザＵ３はコンテンツに注目していないと判定する。
【００５９】
図７には、図６の例において算出されたユーザＵ１〜Ｕ３の注目度が示されている。注目度情報生成部１０５は、例えば、各ユーザがコンテンツに注目している場合を「１」、注目していない場合を「０」として、前後数秒間の移動平均によって、ある瞬間の注目度を決定する。さらに、注目度情報生成部１０５は、注目度をコンテンツのセグメント単位で平均化する。これによって、図７に示されるグラフのように、注目度は、コンテンツのセグメントごとに一定の値になる。コンテンツのセグメントは、例えば、番組のコーナーのように、コンテンツの中である程度共通する属性を有する部分である。図７のグラフを参照すると、例えば、ＡのセグメントではユーザＵ１の注目度が特に高く、Ｂのセグメントでは、コンテンツの中で唯一ユーザＵ３の注目度が高く、Ｃのセグメントでは、ユーザＵ２の注目度がユーザＵ１の注目度よりも高いことがわかる。
【００６０】
（１−４．優先度算出処理）
続いて、本実施形態における優先度算出処理についてさらに説明する。優先度情報生成部２０３における優先度の算出には、例えば協調フィルタリングや、ＣＢＦ（Contents  Based  Filtering）など、公知のあらゆる技術を適用することが可能である。以下では、協調フィルタリングの例について説明する。
【００６１】
この例において、優先度情報生成部２０３は、コンテンツＡについて、リクエスト情報における対象ユーザであるユーザＵ１の優先度を算出する。ここで、ユーザＵ１は、まだコンテンツＡを視聴していないユーザである。この場合、優先度情報生成部２０３は、コンテンツＡを視聴した他のユーザＵ２〜Ｕ４の注目度情報を用いて、コンテンツＡについてのユーザＵ１の優先度を算出する。
【００６２】
コンテンツＡは、セグメントＳｅｇ１〜Ｓｅｇ５を含み、各セグメントにおけるユーザＵ１〜Ｕ４の注目度は以下の表１の通りである。ユーザＵ１はコンテンツＡを視聴していないため、ユーザＵ１の注目度は未知である。なお、以下の説明における注目度は、簡単のために１〜５の５段階で表されている。
【００６３】
【表１】
2012186621.tif 000003
【００６４】
優先度情報生成部２０３は、ユーザＵ２〜Ｕ４のうち、注目度の分布の傾向がユーザＵ１と類似しているユーザのコンテンツＡの各セグメントにおける注目度を利用して、ユーザＵ１のコンテンツＡの各セグメントにおける注目度を算出する。そこで、優先度情報生成部２０３は、ユーザＵ１〜Ｕ４に共通して視聴されている別のコンテンツであるコンテンツＢの注目度情報を利用する。
【００６５】
コンテンツＢは、セグメントＳｅｇ１〜Ｓｅｇ６を含み、各セグメントにおけるユーザＵ１〜Ｕ４の注目度は以下の表２の通りである。
【００６６】
【表２】
2012186621.tif 000004
【００６７】
優先度情報生成部２０３は、コンテンツＢについて、ユーザＵ１と、他のユーザＵ２〜Ｕ４とのそれぞれの間で、注目度分布の類似度を算出する。ユーザＵｍとユーザＵｎとの間の注目度分布の類似度ＳＵｍＵｎは、以下の式１によって算出される。なお、Ａｍｉ、Ａｎｉは、ｉ番目のセグメントＳｅｇｉに対するユーザＵｍ、ユーザＵｎのそれぞれの注目度である。また、Ａｍａｖｇ、Ａｎａｎｇは、各セグメントに対するユーザＵｍ、ユーザＵｎのそれぞれの注目度の平均値である。
【００６８】
【数１】
2012186621.tif 000005
【００６９】
計算の結果、ユーザＵ１とユーザＵ２との間の類似度ＳＵ１Ｕ２は−０．８１、ユーザＵ１とユーザＵ３との間の類似度ＳＵ１Ｕ３は０．９０、ユーザＵ１とユーザＵ４との間の類似度ＳＵ１Ｕ４は０．９５になる。この結果から、コンテンツＢについて、ユーザＵ１とユーザＵ２との間では、注目度の分布の傾向が対照的であり、ユーザＵ１とユーザＵ３との間、およびユーザＵ１とユーザＵ４との間では、注目度の分布の傾向が類似していることがわかる。ここで、注目度の分布の傾向の類似は、例えば類似度ＳＵｍＵｎが所定の閾値以上であることによって判定される。
【００７０】
なお、上記の例では、簡単のために単一のコンテンツについて説明したが、例えば、ユーザＵ１〜Ｕ４が共通して視聴したコンテンツが複数ある場合には、各コンテンツのセグメントの注目度を直列的に配列して上記の式１を適用し、ユーザ間の注目度分布の類似度ＳＵｍＵｎを算出する。
【００７１】
この結果に基づいて、優先度情報生成部２０３は、コンテンツＡについてのユーザＵ１の優先度を算出する。具体的には、優先度情報生成部２０３は、コンテンツＢについて、注目しているセグメント、すなわち注目度の分布の傾向がユーザＵ１と類似しているユーザＵ３，Ｕ４の、コンテンツＡについての注目度を利用する。コンテンツＡの各セグメントについてのユーザＵ１の優先度は、以下の式２によって算出される。なお、Ａｉは、ｉ番目のセグメントＳｅｇｉに対するユーザＵ１の注目度である。Ａａｖｇは、ユーザＵ１がユーザＵ２〜Ｕ４と共通して視聴した番組におけるユーザＵ１の注目度の平均値である。Ｓｉｍｉｌは、共通して視聴した番組における注目度の分布がユーザＵ１と類似する、つまり注目度がユーザＵ１と相関を有するユーザの集合である。Ｊは、集合Ｓｉｍｉｌに含まれる各ユーザであり、この例にではユーザＵ３，Ｕ４である。ＡＪｉは、ｉ番目のセグメントＳｅｇｉに対するユーザＪの注目度である。ＡＪａｖｇは、ユーザＪの注目度の平均値である。ＳＡＪは、上記の式１によって求められるユーザＵ１とユーザＪとの類似度である。
【００７２】
【数２】
2012186621.tif 000006
【００７３】
（１−５．ダイジェストコンテンツ生成処理）
続いて、図８〜図１０を参照して、本実施形態におけるダイジェストコンテンツ生成処理についてさらに説明する。図８は、本実施形態におけるダイジェストコンテンツの生成について概念的に説明するための図である。図９は、本実施形態においてダイジェストコンテンツを生成するために表示される操作画面の例を示す図である。図１０は、本実施形態においてダイジェストコンテンツを生成するために表示される操作画面の別の例を示す図である。
【００７４】
図８を参照すると、類似ユーザ群１、類似ユーザ群２、セグメントスコア、およびコンテンツメタ情報が示されている。ここで、類似ユーザ群１および類似ユーザ群２は、それぞれ、上記の協調フィルタリングにおいて、注目度の分布の傾向が互いに類似しているユーザ群である。優先度情報の対象ユーザは、類似ユーザ群１に含まれるものとする。この場合、類似ユーザ群１に対応するセグメントスコアが、対象ユーザの優先度として優先度情報に含まれる。セグメントスコアは、コンテンツのセグメントごとに優先度の高さを示すスコアである。ダイジェスト生成部１０９は、セグメントスコアによって示される優先度が所定の値以上であるセグメントを抽出することによってダイジェストコンテンツを生成する。ダイジェスト生成部１０９は、さらに、コンテンツのタイトル、放送日時、各セグメントの開始終了時刻、および各セグメントのタイトルなどを含むコンテンツメタ情報を参照してもよい。図示された例では、セグメント群Ａおよびセグメント群Ｂが、ダイジェストコンテンツ生成のために抽出される部分として特定されている。
【００７５】
ここで、ユーザがダイジェストコンテンツを生成する目的は、主に、時間短縮、またはファイルサイズの削減である。それゆえ、ダイジェストコンテンツは、さまざまなモードで生成されうる。例えば、コンテンツ生成部１０９は、画質を落とさずに指定した長さに収まるように優先度が高いコンテンツの部分を抽出する画質優先モードでダイジェストコンテンツを生成してもよい。また、コンテンツ生成部１０９は、注目度が低いセグメントの画質を所定の画質まで落とすことによって、指定したファイルサイズでできるだけ多くの部分を抽出する情報量優先モードでダイジェストコンテンツを生成してもよい。さらに、コンテンツ生成部１０９は、長さやファイルサイズに関わりなく、指定したセグメントスコア以下のセグメントを削除する注目度優先モードでダイジェストコンテンツを生成してもよい。
【００７６】
ダイジェスト生成部１０９は、この他にも、ユーザの操作によって設定されるさまざまな条件を反映してダイジェストコンテンツを作成しうる。ユーザの操作による条件の設定のために表示される操作画面の例について、以下で説明する。
【００７７】
図９に示される例において、操作画面では、ダイジェストコンテンツを生成せずにコンテンツをそのまま視聴する場合（Digestが「no」）と、コマーシャル部分だけをカットしたダイジェストコンテンツを生成する場合（Digestが「cm  cut」）と、比較的長いダイジェストコンテンツを生成する場合（Digestが「long」）と、長さが中程度のダイジェストコンテンツを生成する場合（Digestが「middle」）と、比較的短いダイジェストコンテンツを生成する場合（Digestが「short」）とが選択可能である。また、操作画面では、コンテンツ視聴の速度が通常の場合（Play  Speedが「×1.0」）と、コンテンツ視聴の速度をより遅くする場合（Play  Speedが「×0.5」）と、コンテンツ視聴の速度をより速くする場合（Play  Speedが「×1.5」）とが選択可能である。矢印で図示されている部分は、ダイジェストコンテンツの長さやコンテンツ視聴の速度が選択された結果、ダイジェストコンテンツの生成のために抽出される部分である。このように、ダイジェスト生成部１０９は、ユーザの操作によって指定された条件に従って、ダイジェストコンテンツの生成のために抽出する部分を調整してもよい。
【００７８】
また、図１０に示される別の例において、操作画面では、３種類の長さのダイジェストコンテンツ（比較的短い「Digest(5min.)」と、中程度の「Digest(10min.)」と、比較的長い「Digest(30min.)」と）が選択可能である。さらに、操作画面には、コンテンツのセグメントの一覧が表示される。この一覧は、開始時刻（START）、終了時刻(END)、セグメント名（SEGMENT）、優先度であるセグメントスコア（SCORE）、各セグメントがそれぞれのダイジェストコンテンツに含まれるか否かの表示（5min.  10min.  30min.）、および選択すると各セグメントが再生されるサムネイル画像（MOVIE）の項目を含む。このように、コンテンツの各セグメントの情報と、各セグメントとダイジェストコンテンツとの関係とが表示されることによって、ユーザは、複数の種類のダイジェストコンテンツに含まれるコンテンツの部分を予め把握した上で、視聴するダイジェストコンテンツを選択することが可能になる。なお、複数の種類（図示された例では３種類）のダイジェストコンテンツは、予めダイジェスト生成部１０９によって生成されていてもよく、またユーザによる操作画面を用いた選択後にダイジェスト生成部１０９によって生成されてもよい。
【００７９】
（１−６．変形例）
続いて、図１１および図１２を参照して、本実施形態の変形例について説明する。図１１は、本実施形態の変形例で表示される操作画面の例を示す図である。図１２は、本実施形態の変形例で表示される操作画面の別の例を示す図である。
【００８０】
本実施形態の変形例では、リクエスト情報生成部１０７が、画像処理部１０３が顔の画像によって識別したユーザを対象ユーザとする代わりに、クライアント装置１００の入力装置を介して取得されるユーザの操作によって特定されたユーザを対象ユーザとして、リクエスト情報を生成する。この場合、対象ユーザは、クライアント装置１００を操作するユーザとは別の、対象コンテンツを既に視聴したユーザでありうる。従って、優先度情報は、この別のユーザの優先度の情報を含みうる。さらに、ダイジェスト生成部１０９は、この別のユーザの優先度に従ってダイジェストコンテンツを生成しうる。
【００８１】
図１１に示される例において、操作画面では、ダイジェストコンテンツの作成対象になるコンテンツのセグメント情報とともに、５人のユーザ（Ａさん、Ｂさん、Ｃさん、Ｄさん、Ｅさん）のセグメントスコアが表示される。ユーザは、表示された５人のユーザのうちのいずれかを選択することによって、選択されたユーザの注目度に合わせたダイジェストコンテンツを視聴することが可能である。
【００８２】
また、図１２に示される別の例において、操作画面では、ダイジェストコンテンツの作成対象になるコンテンツのセグメント情報とともに、５つのジャンル（一般、経済、教養、社会、芸能）のセグメントスコアが表示される。各ジャンルのセグメントスコアは、例えば、各ユーザが予め登録したユーザ自身の関心が高いジャンルに基づいて各ユーザのセグメントスコアを集計することによって生成されうる。ユーザは、５つのジャンルのうちのいずれかを選択することによって、選択したジャンルに関心が高いユーザの注目度に合わせたダイジェストコンテンツを視聴することが可能である。
【００８３】
（１−７．まとめ）
以上で説明された第１の実施形態によれば、ユーザによる視聴の状態に基づいて算出される第１のコンテンツの部分ごとの注目度の情報を含む注目度情報をクライアント装置から受信する通信部と、注目度情報を用いて、第２のコンテンツの部分ごとの視聴の優先度の情報を含む優先度情報を生成する優先度情報生成部と、を含み、通信部は、優先度情報をクライアント装置に送信するサーバ装置が提供される。
【００８４】
この場合、例えば、コンテンツの部分ごとの視聴の優先度を、他のコンテンツの部分ごとの注目度情報を用いて算出することによって、幅広い種類のコンテンツで、ユーザの関心の高さを反映した視聴の優先度を設定することができる。
【００８５】
また、通信部は、優先度情報の提供を要求するリクエスト情報をクライアント装置から受信し、リクエスト情報は、対象ユーザの情報を含み、優先度情報生成部は、リクエスト情報に応じて、対象ユーザの優先度の情報を含む優先度情報を生成しうる。
【００８６】
この場合、例えば、クライアント装置におけるコンテンツの視聴などのタイミングに合わせて優先度情報を生成してクライアント装置に提供することができる。さらに、対象ユーザが特定されることで、そのユーザに特に適した優先度情報を提供することができる。
【００８７】
また、対象ユーザは、第１のコンテンツを視聴し第２のコンテンツを視聴していないユーザでありうる。
【００８８】
この場合、例えば、優先度情報を提供されるユーザが未視聴のコンテンツについて、当該ユーザ、または他のユーザが以前に視聴したコンテンツの注目度情報のフィルタリングによって、適切な優先度情報を提供することができる。
【００８９】
また、対象ユーザは、第２のコンテンツを視聴したユーザでありうる。
【００９０】
この場合、例えば、コンテンツを視聴しようとするユーザが指定した任意のユーザ、例えば友人や特定のジャンルに関心を有する人物のコンテンツ視聴結果を元にした優先度情報をユーザに提供することができる。
【００９１】
なお、このとき、第１のコンテンツと第２のコンテンツとは同じコンテンツを意味しうる。また、注目度情報を提供するクライアント装置と、優先度情報が提供されるクライアント装置とは、互いに異なるクライアント装置でありうる。
【００９２】
また、注目度は、第１のコンテンツを視聴しているユーザの画像から検出されるユーザの動作に基づいて算出されうる。
【００９３】
この場合、例えば、コンテンツを視聴しているユーザの画像から自動的に注目度の情報を取得することができ、生成された注目度情報を収集することが容易になる。
【００９４】
また、ユーザは、画像に含まれる顔によって識別されうる。
【００９５】
この場合、例えば、コンテンツを視聴しているユーザの画像から自動的にユーザを識別することができ、ユーザの個別の注目度情報を容易に収集することができる。
【００９６】
さらに、以上で説明された第１の実施形態によれば、ユーザによる視聴の状態に基づいて算出される第１のコンテンツの部分ごとの注目度の情報を含む注目度情報を生成する注目度情報生成部と、注目度情報をサーバ装置に送信し、注目度情報を用いて生成される第２のコンテンツの部分ごとの視聴の優先度の情報を含む優先度情報をサーバ装置から受信する通信部と、を含むクライアント装置が提供される。
【００９７】
この場合、例えば、視聴されたコンテンツの部分ごとの注目度を提供し、一方で提供した注目度の情報を用いて生成された未視聴のコンテンツの優先度情報を取得することによって、幅広い種類のコンテンツで、ユーザの関心の高さを反映した視聴の優先度を取得することができる。
【００９８】
また、クライアント装置は、優先度情報の提供を要求するリクエスト情報を生成するリクエスト情報生成部をさらに含み、リクエスト情報は、対象ユーザの情報を含み、通信部は、リクエスト情報をサーバ装置に送信し、リクエスト情報に応じて生成された対象ユーザの優先度の情報を含む優先度情報をサーバ装置から受信しうる。
【００９９】
この場合、例えば、コンテンツの視聴などのタイミングに合わせて優先度情報をサーバ装置から取得することができる。さらに、対象ユーザが特定されることで、そのユーザに特に適した優先度情報を取得することができる。
【０１００】
また、クライアント装置は、優先度が所定の値以上である第２のコンテンツの部分を抽出することによってダイジェストコンテンツを生成するダイジェスト生成部と、ダイジェストコンテンツをユーザによる視聴のために出力する出力部と、ダイジェストコンテンツを視聴するユーザの画像を取得する画像取得部と、をさらに含み、リクエスト情報生成部は、画像に含まれる顔によって識別されたユーザを対象ユーザとしてリクエスト情報を生成しうる。
【０１０１】
この場合、例えば、視聴するユーザにとって優先度が高いコンテンツの部分を抽出してダイジェストコンテンツを生成することができる。それゆえ、視聴するユーザに合わせてリアルタイムにダイジェストコンテンツの内容を適応させることができる。
【０１０２】
また、クライアント装置は、第１のコンテンツをユーザによる視聴のために出力する出力部と、第１のコンテンツを視聴しているユーザの画像を取得する画像取得部と、をさらに含み、注目度は、画像から検出されるユーザの動作に基づいて算出されうる。
【０１０３】
この場合、例えば、例えば、コンテンツを視聴しているユーザの画像から自動的に注目度の情報を取得することができ、注目度情報を生成することが容易になる。
【０１０４】
また、ユーザは、画像から検出される顔の画像によって識別されうる。
【０１０５】
この場合、例えば、コンテンツを視聴しているユーザの画像から自動的にユーザを識別することができ、ユーザの個別の注目度情報を容易に収集することができる。
【０１０６】
（２．第２の実施形態）
本開示の第２の実施形態では、例えば携帯電話やタブレット型ＰＣであるモバイル装置３００を用いて、ユーザがコンテンツを視聴する。モバイル装置３００は、ユーザによる視聴の状態に基づいて、コンテンツの部分ごとの注目度の情報を含む注目度情報を生成し、クライアント装置６００に接続されたときに、クライアント装置６００を経由してサーバ装置２００に注目度情報を送信する。サーバ装置２００は、受信した注目度情報をデータベースに格納する。
【０１０７】
さらに、クライアント装置６００は、ユーザが接続されたモバイル装置３００で視聴するコンテンツについて、コンテンツの部分ごとの視聴の優先度の情報を含む優先度情報の提供を要求するリクエスト情報を生成し、サーバ装置２００に送信する。サーバ装置２００は、受信したリクエスト情報に応じて、データベースに格納された注目度情報を用いて優先度情報を生成し、クライアント装置６００に送信する。クライアント装置６００は、受信した優先度情報をモバイル装置３００に転送する。モバイル装置３００は、転送された優先度情報を用いて、例えばコンテンツの優先度が高い部分を抽出したダイジェストコンテンツを生成し、ユーザに提供する。
【０１０８】
なお、本実施形態は、モバイル装置３００を用いてユーザがコンテンツを視聴する点と、クライアント装置６００がモバイル装置３００のためのリクエスト情報を生成し、優先度情報をモバイル装置３００に転送する点で上記の第１の実施形態とは異なる。なお、それ以外の点については、本実施形態は上記の第１の実施形態とほぼ同様であるため、詳細説明を省略する。
【０１０９】
（２−１．機能構成）
（モバイル装置）
まず、図１３を参照して、本開示の第２の実施形態に係るモバイル装置３００の概略的な機能構成について説明する。図１３は、モバイル装置３００の機能構成を示すブロック図である。
【０１１０】
モバイル装置３００は、本開示に係る情報処理装置の一例であって、操作部３０１、操作履歴取得部３０３、注目度情報生成部３０５、ダイジェスト生成部３０７、画像出力部３０９、表示部３１１、コンテンツ記憶部３５１、および通信部３７１を含む。モバイル装置３００は、例えば、携帯電話、タブレット型ＰＣなどのような、コンテンツ再生機能を有するモバイル機器として実現される。
【０１１１】
操作部３０１は、例えば、入力装置などによって実現される。操作部３０１は、ユーザによるコンテンツ視聴のための操作を受け付ける。ユーザのコンテンツ視聴のための操作は、例えば、再生、停止、一時停止、早送り、巻き戻し、スキップなどの操作である。操作部３０１が受け付けた操作の履歴が、操作履歴取得部３０３によって取得される。
【０１１２】
操作履歴取得部３０３は、例えば、ＣＰＵ、ＲＯＭ、およびＲＡＭなどによって実現される。操作履歴取得部３０３は、操作部３０１が受け付けたユーザのコンテンツ視聴のための操作履歴を取得する。操作履歴取得部３０３は、例えば、ユーザの早送りおよびスキップの操作が、コンテンツのどの部分でされたかを履歴として取得する。操作履歴取得部３０３は、取得した操作履歴を注目度情報生成部３０５に出力する。
【０１１３】
注目度情報生成部３０５は、例えば、ＣＰＵ、ＲＯＭ、およびＲＡＭなどによって実現される。注目度情報生成部３０５は、操作履歴取得部３０３から提供される操作履歴を用いて、ユーザによる視聴の状態に基づいて算出されるコンテンツの部分ごとの注目度の情報を含む注目度情報を生成する。例えば、注目度情報生成部３０５は、操作履歴によって早送りまたはスキップされたことが示されるコンテンツの部分について、ユーザの注目度が比較的低いと判定する。注目度情報生成部３０５は、ユーザが視聴したコンテンツのコンテンツ情報を取得し、注目度をコンテンツのセグメント単位で平均化してもよい。注目度情報には、ユーザとコンテンツとを特定する情報が含まれる。ここで、ユーザを特定する情報は、モバイル装置３００の所有者情報から取得される。生成された注目度情報は、通信部３７１に提供される。
【０１１４】
通信部３７１は、例えば、接続ポート、および通信装置などによって実現される。通信部１７１は、クライアント装置６００と通信し、注目度情報生成部３０５によって生成された注目度情報を送信する。注目度情報は、クライアント装置６００からさらにサーバ装置２００に転送される。また、通信部１７１は、クライアント装置６００から優先度情報を受信する。優先度情報は、コンテンツの部分ごとの視聴の優先度の情報を含む情報であり、サーバ装置２００によって生成されてクライアント装置６００に送信される。通信部１７１は、受信した優先度情報をダイジェスト生成部３０７に提供する。
【０１１５】
ダイジェスト生成部３０７は、例えば、ＣＰＵ、ＲＯＭ、およびＲＡＭなどによって実現される。ダイジェスト生成部３０７は、通信部３７１がクライアント装置６００から受信した優先度情報を取得し、取得した優先度情報を用いて優先度が所定の値以上であるコンテンツの部分を抽出することによってダイジェストコンテンツを生成する。ダイジェスト生成部３０７は、優先度情報の対象コンテンツのコンテンツデータをコンテンツ記憶部３５１から取得する。また、ダイジェスト生成部３０７は、生成したダイジェストコンテンツを画像出力部３０９に提供する。例えば、ダイジェスト生成部３０７は、通信部３７１から優先度情報が提供された場合に自動的にダイジェストコンテンツを生成してもよい。また、ダイジェスト生成部３０７は、クライアント装置６００の入力装置を介して取得されるユーザの操作に従ってダイジェストコンテンツを生成してもよい。この場合、ダイジェスト生成部３０７は、例えば指定されたダイジェストコンテンツの長さに応じて、複数の種類のダイジェストコンテンツを生成することが可能であってもよい。
【０１１６】
画像出力部３０９は、例えば、ＣＰＵ、ＧＰＵ、ＲＯＭ、およびＲＡＭなどによって実現される。画像出力部３０９は、表示部３１１に、ダイジェスト生成部３０７から提供されたダイジェストコンテンツの画像を出力する。また、画像出力部３０９は、ダイジェストコンテンツではない通常のコンテンツのデータをコンテンツ記憶部３５１から取得して、表示部３１１出力してもよい。画像出力部３０９は、ユーザによるモバイル装置３００の操作のための操作画面の画像を表示部３１１に出力してもよい。操作画面は、例えば、通信部３７１が取得した優先度情報をユーザに提示するものであってもよい。
【０１１７】
表示部３１１は、例えば、ＬＣＤ（Liquid  Crystal  Display）や有機ＥＬ（Electro-Luminescence）ディスプレイなどによって実現される。表示部３１１は、画像出力部３０９から提供された画像を表示する。
【０１１８】
コンテンツ記憶部３５１は、例えば、ＲＯＭ、ＲＡＭ、およびストレージ装置などによって実現される。コンテンツ記憶部３５１には、モバイル装置３００がユーザに提供するコンテンツのデータが格納される。コンテンツのデータは、図示しないチューナを用いて放送波から取得されてもよいし、また通信装置を介して通信ネットワークからダウンロードされてもよい。
【０１１９】
（クライアント装置）
続いて、図１４を参照して、本開示の第２の実施形態に係るクライアント装置６００の概略的な機能構成について説明する。図１４は、クライアント装置６００の機能構成を示すブロック図である。なお、クライアント装置６００は、リクエスト情報生成部６０７および通信部６７１を除いて、第１の実施形態に係るクライアント装置１００とほぼ同様の機能構成を有するため、この部分については詳細説明を省略する。
【０１２０】
リクエスト情報生成部６０７は、第１の実施形態に係るクライアント装置１００のリクエスト情報生成部６０７の機能に加えて、またはこれに代えて、モバイル装置３００を用いてコンテンツを視聴するユーザを対象ユーザとしてリクエスト情報を生成する機能を有する。リクエスト情報生成部６０７は、通信部６７１が受信したモバイル装置３００の所有者情報を取得し、この所有者情報に基づいて識別されたユーザを対象ユーザとしてリクエスト情報を設定する。生成されたリクエスト情報は、通信部６７１に提供され、通信部６７１からサーバ装置２００に送信される。
【０１２１】
通信部６７１は、第１の実施形態に係るクライアント装置１００の通信部６７１の機能に加えて、モバイル装置３００と通信する機能を有する。通信部６７１は、モバイル装置３００から注目度情報を受信し、これをサーバ装置２００に転送する。また、通信部６７１は、モバイル装置３００からモバイル装置３００の所有者情報を受信し、これをリクエスト情報生成部６０７に提供する。通信部６７１は、リクエスト情報生成部６０７によって生成されたリクエスト情報をサーバ装置２００に送信する。さらに、通信部６７１は、サーバ装置２００から優先度情報を受信し、これをモバイル装置３００に転送する。
【０１２２】
（２−２．処理フロー）
続いて、図１５および図１６を参照して、本開示の第２の実施形態における処理の例について説明する。図１５は、ユーザがモバイル装置３００を用いてコンテンツを通常視聴する場合の処理の例を示すフローチャートである。図１６は、ユーザがモバイル装置３００を用いてコンテンツをダイジェスト視聴する場合の処理の例を示すフローチャートである。
【０１２３】
（コンテンツ通常視聴時の処理）
図１５を参照すると、まず、モバイル装置３００の操作履歴取得部３０３が、コンテンツ視聴のためのユーザの操作履歴を取得する（ステップＳ３０１）。上述のように、操作履歴は、ユーザがモバイル装置３００の表示部３１１に表示されるコンテンツを視聴したときの、例えば再生、早送り、またはスキップなどの操作の履歴である。
【０１２４】
次に、モバイル装置３００の注目度情報生成部３０５が、操作履歴に基づいてコンテンツの部分ごとの注目度を算出し、注目度情報を生成する（ステップＳ３０３）。ここで、注目度情報生成部３０５は、操作履歴に基づいて、例えば早送りまたはスキップなどがされた部分は注目度が低いと判断することなどによって注目度を算出する。注目度情報は、算出された注目度に加えて、ユーザが視聴したコンテンツを特定するコンテンツ情報、およびユーザを特定するユーザＩＤを含む。
【０１２５】
次に、モバイル装置３００の通信部３７１が、生成された注目度情報をクライアント装置６００に送信する（ステップＳ３０５）。注目度情報は、例えば、ユーザがコンテンツを視聴し終えた後に一括してモバイル装置３００からクライアント装置６００に送信されてもよいし、コンテンツのセグメント単位で注目度が算出される度に随時送信されてもよい。
【０１２６】
次に、クライアント装置６００の通信部６７１が、モバイル装置３００から受信した注目度情報をサーバ装置２００に転送する（ステップＳ３０７）。
【０１２７】
次に、サーバ装置２００の通信部２７１が、注目度情報をクライアント装置６００から受信し、注目度情報取得部２０１が、受信された注目度情報を取得して注目度ＤＢ２５１に格納する（ステップＳ３０９）。注目度情報は、複数のコンテンツで、複数のユーザについて取得されうる。
【０１２８】
（ダイジェスト視聴時の処理）
図１６を参照すると、まず、クライアント装置６００の通信部６７１が、モバイル装置３００からモバイル装置３００の所有者情報を受信し、受信された所有者情報に基づいて、リクエスト情報生成部６０７が、モバイル装置３００の所有者をユーザとして識別する（ステップＳ４０１）。
【０１２９】
次に、クライアント装置６００の通信部６７１が、リクエスト情報を生成する（ステップＳ４０３）。リクエスト情報には、モバイル装置３００の所有者情報から識別されたユーザのユーザＩＤが、対象ユーザのユーザＩＤとして含まれる。また、ユーザがモバイル装置３００で視聴する予定のコンテンツを特定するコンテンツ情報も含まれる。
【０１３０】
次に、クライアント装置６００の通信部６７１が、リクエスト情報をサーバ装置２００に送信する（ステップＳ４０５）。リクエスト情報は、例えば、クライアント装置６００の入力装置を介して取得されるユーザの別途の操作によってサーバ装置２００に送信されてもよく、またモバイル装置３００がクライアント装置６００に接続されたことをトリガーとして自動的にサーバ装置２００に送信されてもよい。
【０１３１】
次に、サーバ装置２００の優先度情報生成部２０３が、通信部２７１を介してクライアント装置６００からリクエスト情報を取得し、取得されたリクエスト情報に応じて優先度情報を生成する（ステップＳ４０７）。優先度情報生成部２０３は、優先度情報の生成に注目度ＤＢ２５１に格納された注目度情報を用いる。ここで、生成される優先度情報に含まれる優先度は、リクエスト情報に含まれる対象ユーザのユーザＩＤによって特定されるユーザである。また、優先度情報の対象になるコンテンツは、リクエスト情報に含まれるコンテンツ情報によって特定されるコンテンツである。
【０１３２】
次に、サーバ装置２００の通信部２７１が、生成された優先度情報をクライアント装置６００に送信する（ステップＳ４０９）。本実施形態では、クライアント装置６００からのリクエスト情報に応じて優先度情報が生成されるため、生成された優先度情報は、自動的にクライアント装置６００に送信されうる。
【０１３３】
次に、クライアント装置６００の通信部６７１が、サーバ装置２００から受信した注目度情報をモバイル装置３００に転送する（ステップＳ４１１）。
【０１３４】
次に、モバイル装置３００のダイジェスト生成部３０７が、通信部３７１を介してクライアント装置６００から優先度情報を取得し、取得された優先度情報に基づいてダイジェストコンテンツを生成する（ステップＳ４１３）。ここで、ダイジェストコンテンツは、優先度情報が取得された場合に自動的に生成されてもよい。また、ダイジェストコンテンツは、モバイル装置３００の入力装置を介して取得されるユーザの操作によって指定される長さなどの条件に応じて生成されてもよい。
【０１３５】
次に、モバイル装置３００の画像出力部３０９は、ダイジェストコンテンツを表示部３１１に出力し、ユーザに提供する（ステップＳ４１５）。
【０１３６】
（２−３．変形例）
続いて、本実施形態の変形例について説明する。本実施形態の変形例では、モバイル装置３００の通信部３７１が、例えば無線通信などによって直接サーバ装置２００の通信部２７１と通信する。この場合、優先度情報を要求するリクエスト情報は、クライアント装置６００ではなくモバイル装置３００で生成される。つまり、変形例において、モバイル装置３００は、上記の説明におけるクライアント装置６００のリクエスト情報生成部６０７と同様のリクエスト情報生成部を有する。また、モバイル装置３００の通信部３７１は、注目度情報およびリクエスト情報をサーバ装置２００に送信し、優先度情報をサーバ装置２００から受信する。
【０１３７】
なお、本変形例において、クライアント装置は、モバイル装置３００と通信しなくてもよいため、例えば上記の第１の実施形態におけるクライアント装置１００と同様の機能構成を有してもよく、または存在しなくてもよい。
【０１３８】
（２−４．まとめ）
以上で説明された第２の実施形態によれば、モバイル装置におけるユーザによる視聴の状態に基づいて算出される第１のコンテンツの部分ごとの注目度の情報を含む注目度情報をサーバ装置から（必要であればクライアント装置を経由して）受信する通信部と、注目度情報を用いて、第２のコンテンツの部分ごとの視聴の優先度の情報を含む優先度情報を生成する優先度情報生成部と、を含み、通信部は、優先度情報を（必要であればクライアント装置を経由して）モバイル装置に送信するサーバ装置であって、注目度は、ユーザによるモバイル装置の操作履歴に基づいて算出されるサーバ装置が提供される。
【０１３９】
この場合、例えば、モバイル装置における早送りやスキップの状態から算出されたユーザの注目度を用いてコンテンツの部分ごとの視聴の注目度を算出することによって、幅広い種類のコンテンツで、モバイル視聴時のユーザの関心の高さを反映した視聴の優先度を設定することができる。
【０１４０】
また、ユーザは、モバイル装置の所有者情報によって識別されうる。
【０１４１】
この場合、例えば、モバイル装置の所有者情報から自動的にユーザを識別することができ、ユーザの個別の注目度情報を容易に収集したり、ユーザに特に適した注目度情報を提供したりすることができる。
【０１４２】
さらに、以上で説明された第２の実施形態によれば、ユーザによる視聴の状態に基づいて算出される第１のコンテンツの部分ごとの注目度の情報を含む注目度情報を生成する注目度情報生成部と、注目度情報を（必要であればクライアント装置を経由して）サーバ装置に送信し、注目度情報を用いて生成される第２のコンテンツの部分ごとの視聴の優先度の情報を含む優先度情報を（必要であればクライアント装置を経由して）サーバ装置から受信する通信部と、を含むモバイル装置であって、第１のコンテンツをユーザによる視聴のために出力する出力部と、ユーザによる第１のコンテンツの視聴のための操作履歴を取得する操作履歴取得部と、をさらに含み、注目度は、操作履歴に基づいて算出されるモバイル装置が提供される。
【０１４３】
この場合、例えば、モバイル装置における早送りやスキップの状態から算出されたユーザの注目度を用いてコンテンツの部分ごとの視聴の注目度を算出することによって、幅広い種類のコンテンツで、モバイル視聴時のユーザの関心の高さを反映した視聴の優先度を設定することができる。
【０１４４】
また、ユーザは、モバイル装置の所有者情報によって識別されうる。
【０１４５】
この場合、例えば、モバイル装置の所有者情報から自動的にユーザを識別することができ、ユーザの個別の注目度情報を容易に提供したり、ユーザに特に適した注目度情報を取得したりすることができる。
【０１４６】
（３．ハードウェア構成）
次に、図１７を参照しながら、上記で説明された各実施形態に係るクライアント装置１００，６００、サーバ装置２００，７００、およびモバイル装置３００，８００の機能を実現する情報処理装置９００のハードウェア構成について詳細に説明する。図１７は、各実施形態に係る情報処理装置９００のハードウェア構成を説明するためのブロック図である。
【０１４７】
情報処理装置９００は、ＣＰＵ９０１、ＲＯＭ９０３、およびＲＡＭ９０５を含む。さらに、情報処理装置９００は、ホストバス９０７、ブリッジ９０９、外部バス９１１、インターフェース９１３、入力装置９１５、出力装置９１７、ストレージ装置９１９、ドライブ９２１、接続ポート９２３、および通信装置９２５を含んでもよい。
【０１４８】
ＣＰＵ９０１は、演算処理装置および制御装置として機能し、ＲＯＭ９０３、ＲＡＭ９０５、ストレージ装置９１９、またはリムーバブル記録媒体９２７に記録された各種プログラムに従って、情報処理装置９００内の動作全般またはその一部を制御する。ＲＯＭ９０３は、ＣＰＵ９０１が使用するプログラムや演算パラメータ等を記憶する。ＲＡＭ９０５は、ＣＰＵ９０１の実行において使用するプログラムや、その実行において適宜変化するパラメータ等を一次記憶する。これらはＣＰＵバス等の内部バスにより構成されるホストバス９０７により相互に接続されている。
【０１４９】
ホストバス９０７は、ブリッジ９０９を介して、ＰＣＩ（Peripheral  Component  Interconnect/Interface）バスなどの外部バス９１１に接続されている。
【０１５０】
入力装置９１５は、例えば、マウス、キーボード、タッチパネル、ボタン、スイッチおよびレバーなど、ユーザが操作する操作手段である。また、入力装置９１５は、例えば、赤外線やその他の電波を利用したリモートコントロール手段であってもよいし、情報処理装置９００の操作に対応した携帯電話やＰＤＡ等の外部接続機器９２９であってもよい。さらに、入力装置９１５は、例えば、上記の操作手段を用いてユーザにより入力された情報に基づいて入力信号を生成し、ＣＰＵ９０１に出力する入力制御回路などから構成されている。情報処理装置９００のユーザは、この入力装置９１５を操作することにより、情報処理装置９００に対して各種のデータを入力したり処理動作を指示したりすることができる。
【０１５１】
出力装置９１７は、取得した情報をユーザに対して視覚的または聴覚的に通知することが可能な装置で構成される。このような装置として、ＣＲＴディスプレイ装置、液晶ディスプレイ装置、プラズマディスプレイ装置、ＥＬディスプレイ装置およびランプなどの表示装置や、スピーカおよびヘッドホンなどの音声出力装置や、プリンタ装置、携帯電話、ファクシミリなどがある。出力装置９１７は、例えば、情報処理装置９００が行った各種処理により得られた結果を出力する。具体的には、表示装置は、情報処理装置９００が行った各種処理により得られた結果を、テキストまたはイメージで表示する。他方、音声出力装置は、再生された音声データや音響データ等からなるオーディオ信号をアナログ信号に変換して出力する。
【０１５２】
ストレージ装置９１９は、情報処理装置９００の記憶部の一例として構成されたデータ格納用の装置である。ストレージ装置９１９は、例えば、ＨＤＤ（Hard  Disk  Drive）等の磁気記憶部デバイス、半導体記憶デバイス、光記憶デバイス、または光磁気記憶デバイス等により構成される。このストレージ装置９１９は、ＣＰＵ９０１が実行するプログラムや各種データ、および外部から取得した各種のデータなどを格納する。
【０１５３】
ドライブ９２１は、記録媒体用リーダライタであり、情報処理装置９００に内蔵、あるいは外付けされる。ドライブ９２１は、装着されている磁気ディスク、光ディスク、光磁気ディスク、または半導体メモリ等のリムーバブル記録媒体９２７に記録されている情報を読み出して、ＲＡＭ９０５に出力する。また、ドライブ９２１は、装着されている磁気ディスク、光ディスク、光磁気ディスク、または半導体メモリ等のリムーバブル記録媒体９２７に記録を書き込むことも可能である。リムーバブル記録媒体９２７は、例えば、ＤＶＤメディア、ＨＤ−ＤＶＤメディア、Ｂｌｕ−ｒａｙ（登録商標）メディア等である。また、リムーバブル記録媒体９２７は、コンパクトフラッシュ（登録商標）（Compact  Flash：ＣＦ）、フラッシュメモリ、または、ＳＤメモリカード（Secure  Digital  memory  card）等であってもよい。また、リムーバブル記録媒体９２７は、例えば、非接触型ＩＣチップを搭載したＩＣカード（Integrated  Circuit  card）または電子機器等であってもよい。
【０１５４】
接続ポート９２３は、機器を情報処理装置９００に直接接続するためのポートである。接続ポート９２３の一例として、ＵＳＢ（Universal  Serial  Bus）ポート、ＩＥＥＥ１３９４ポート、ＳＣＳＩ（Small  Computer  System  Interface）ポート等がある。接続ポート９２３の別の例として、ＲＳ−２３２Ｃポート、光オーディオ端子、ＨＤＭＩ（High-Definition  Multimedia  Interface）ポート等がある。この接続ポート９２３に外部接続機器９２９を接続することで、情報処理装置９００は、外部接続機器９２９から直接各種のデータを取得したり、外部接続機器９２９に各種のデータを提供したりする。
【０１５５】
通信装置９２５は、例えば、通信ネットワーク９３１に接続するための通信デバイス等で構成された通信インターフェースである。通信装置９２５は、例えば、有線または無線ＬＡＮ（Local  Area  Network）、Ｂｌｕｅｔｏｏｔｈ（登録商標）、またはＷＵＳＢ（Wireless  USB）用の通信カード等である。また、通信装置９２５は、光通信用のルータ、ＡＤＳＬ（Asymmetric  Digital  Subscriber  Line）用のルータ、または、各種通信用のモデム等であってもよい。この通信装置９２５は、例えば、インターネットや他の通信機器との間で、例えばＴＣＰ／ＩＰ等の所定のプロトコルに則して信号等を送受信することができる。また、通信装置９２５に接続される通信ネットワーク９３１は、有線または無線によって接続されたネットワーク等により構成され、例えば、インターネット、家庭内ＬＡＮ、赤外線通信、ラジオ波通信または衛星通信等であってもよい。
【０１５６】
以上、情報処理装置９００のハードウェア構成の一例を示した。上記の各構成要素は、汎用的な部材を用いて構成されていてもよいし、各構成要素の機能に特化したハードウェアにより構成されていてもよい。従って、上記各実施形態を実施する時々の技術レベルに応じて、適宜、利用するハードウェア構成を変更することが可能である。
【０１５７】
（４．補足）
上記各実施形態では、クライアント装置、サーバ装置、およびモバイル装置の機能構成についてそれぞれ説明したが、本技術はかかる例に限定されない。例えば、注目度情報の生成およびリクエスト情報の生成はサーバ装置で行われてもよい。視聴の状態から注目度情報を生成する処理や、蓄積された注目度情報から優先度情報を生成する処理について、どの処理までをどの装置で行うかは、必要に応じて適宜設計されうる。
【０１５８】
なお、本技術は以下のような構成も取ることができる。
（１）ユーザによる視聴の状態に基づいて算出される第１のコンテンツの部分ごとの注目度の情報を含む注目度情報を外部装置から受信する通信部と、
前記注目度情報を用いて、第２のコンテンツの部分ごとの視聴の優先度の情報を含む優先度情報を生成する優先度情報生成部と、
を備え、
前記通信部は、前記優先度情報を前記外部装置に送信する情報処理装置。
（２）前記通信部は、前記優先度情報の提供を要求するリクエスト情報を前記外部装置から受信し、
前記リクエスト情報は、対象ユーザの情報を含み、
前記優先度情報生成部は、前記リクエスト情報に応じて、前記対象ユーザの前記優先度の情報を含む前記優先度情報を生成する、前記（１）に記載の情報処理装置。
（３）前記対象ユーザは、前記第１のコンテンツを視聴し前記第２のコンテンツを視聴していない前記ユーザである、前記（２）に記載の情報処理装置。
（４）前記対象ユーザは、前記第２のコンテンツを視聴した前記ユーザである、前記（２）に記載の情報処理装置。
（５）前記注目度は、前記第１のコンテンツを視聴している前記ユーザの画像から検出される前記ユーザの動作に基づいて算出される、前記（１）〜（４）のいずれか１項に記載の情報処理装置。
（６）前記ユーザは、前記画像に含まれる顔によって識別される、前記（５）に記載の情報処理装置。
（７）前記注目度は、前記ユーザによる前記第１のコンテンツの視聴のための装置の操作履歴に基づいて算出される、前記（１）〜（４）のいずれか１項に記載の情報処理装置。
（８）前記ユーザは、前記装置の所有者情報によって識別される、前記（７）に記載の情報処理装置。
（９）ユーザによる視聴の状態に基づいて算出される第１のコンテンツの部分ごとの注目度の情報を含む注目度情報を生成する注目度情報生成部と、
前記注目度情報を外部装置に送信し、前記注目度情報を用いて生成される第２のコンテンツの部分ごとの視聴の優先度の情報を含む優先度情報を前記外部装置から受信する通信部と、
を備える情報処理装置。
（１０）前記優先度情報の提供を要求するリクエスト情報を生成するリクエスト情報生成部をさらに備え、
前記リクエスト情報は、対象ユーザの情報を含み、
前記通信部は、前記リクエスト情報を前記外部装置に送信し、前記リクエスト情報に応じて生成された前記対象ユーザの前記優先度の情報を含む前記優先度情報を前記外部装置から受信する、前記（９）に記載の情報処理装置。
（１１）前記優先度が所定の値以上である前記第２のコンテンツの部分を抽出することによってダイジェストコンテンツを生成するダイジェスト生成部と、
前記ダイジェストコンテンツを前記ユーザによる視聴のために出力する出力部と、
前記ダイジェストコンテンツを視聴する前記ユーザの画像を取得する画像取得部と、
をさらに備え、
前記リクエスト情報生成部は、前記画像に含まれる顔によって識別されたユーザを対象ユーザとして前記リクエスト情報を生成する、前記（１０）に記載の情報処理装置。
（１２）前記第１のコンテンツを前記ユーザによる視聴のために出力する出力部と、
前記第１のコンテンツを視聴している前記ユーザの画像を取得する画像取得部と、
をさらに備え、
前記注目度は、前記画像から検出される前記ユーザの動作に基づいて算出される、前記（９）〜（１１）のいずれか１項に記載の情報処理装置。
（１３）前記ユーザは、前記画像に含まれる顔によって識別される、前記（１２）に記載の情報処理装置。
（１４）前記第１のコンテンツを前記ユーザによる視聴のために出力する出力部と、
前記ユーザによる前記第１のコンテンツの視聴のための操作履歴を取得する操作履歴取得部と、
をさらに備え、
前記注目度は、前記操作履歴に基づいて算出される、前記（９）に記載の情報処理装置。
（１５）前記ユーザは、前記情報処理装置の所有者情報によって識別される、前記（１４）に記載の情報処理装置。
（１６）ユーザによる視聴の状態に基づいて算出される第１のコンテンツの部分ごとの注目度の情報を含む注目度情報を外部装置から受信することと、
前記注目度情報を用いて、第２のコンテンツの部分ごとの視聴の優先度の情報を含む優先度情報を生成することと、
前記優先度情報を前記外部装置に送信することと、
を含む情報処理方法。
（１７）ユーザによる視聴の状態に基づいて算出される第１のコンテンツの部分ごとの注目度の情報を含む注目度情報を生成することと、
前記注目度情報を外部装置に送信することと、
前記注目度情報を用いて生成される第２のコンテンツの部分ごとの視聴の優先度の情報を含む優先度情報を前記外部装置から受信することと、
を含む情報処理方法。
（１８）ユーザによる視聴の状態に基づいて算出される第１のコンテンツの部分ごとの注目度の情報を含む注目度情報を外部装置から受信する通信部と、
前記注目度情報を用いて、第２のコンテンツの部分ごとの視聴の優先度の情報を含む優先度情報を生成する優先度情報生成部と、
としてコンピュータを機能させ、
前記通信部は、前記優先度情報を前記外部装置に送信するプログラム。
（１９）ユーザによる視聴の状態に基づいて算出される第１のコンテンツの部分ごとの注目度の情報を含む注目度情報を生成する注目度情報生成部と、
前記注目度情報を外部装置に送信し、前記注目度情報を用いて生成される第２のコンテンツの部分ごとの視聴の優先度の情報を含む優先度情報を前記外部装置から受信する通信部と、
としてコンピュータを機能させるプログラム。
【０１５９】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【符号の説明】
【０１６０】
Ｕ１，Ｕ２    ユーザ
１００，６００    クライアント装置
１０１    画像取得部
１０３    画像処理部
１０３５    顔識別部
１０５    注目度情報生成部
１０７，６０７    リクエスト情報生成部
１０９    ダイジェスト生成部
１１１    画像出力部
１７１，６７１    通信部
２００    サーバ装置
２０１    注目度情報取得部
２０３    優先度情報生成部
２７１    通信部
３００    モバイル装置
３０３    操作履歴取得部
３０５    注目度情報生成部
３０７    ダイジェスト生成部
３０９    画像出力部
３７１    通信部
【図１】
2012186621.tif 000007
【図２】
2012186621.tif 000008
【図３】
2012186621.tif 000009
【図４】
2012186621.tif 000010
【図５】
2012186621.tif 000011
【図６】
2012186621.tif 000012
【図７】
2012186621.tif 000013
【図８】
2012186621.tif 000014
【図９】
2012186621.tif 000015
【図１０】
2012186621.tif 000016
【図１１】
2012186621.tif 000017
【図１２】
2012186621.tif 000018
【図１３】
2012186621.tif 000019
【図１４】
2012186621.tif 000020
【図１５】
2012186621.tif 000021
【図１６】
2012186621.tif 000022
【図１７】
2012186621.tif 000023